【事件の表示】
　特許第３０５６８０９号「照明器具」の請求項１ないし１４に係る特許に対する特許異議の申立てについて、次のとおり決定する。
【結　論】
　訂正を認める。
　特許第３０５６８０９号の請求項１ないし１４に係る特許を維持する。
【理　由】
１．本件特許３０５６８０９号の発明についての出願は、平成３年３月２９日に出願（国内優先日平成２年１０月２４日）され、平成１２年４月１４日にその発明について特許権の設定登録がなされ、その後、申立人東芝ライテック株式会社により特許異議の申立てがなされ、取消しの理由が通知され、特許異議意見書が提出され、再度取消しの理由が通知され、その指定期間内である平成１３年８月３０日に訂正請求がなされたものである。
　
２．訂正の適否についての判断
　平成１３年８月３０日になされた訂正請求は、特許明細書を訂正明細書のとおりに訂正することを求めるもので、その内容は以下のとおりである。
（１）訂正の内容
ア．訂正事項ａ
特許請求の範囲の請求項１の
「【請求項１】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたことを特徴とする照明器具。」を、
「【請求項１】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたことを特徴とする照明器具。」と訂正する。
　
イ．訂正事項ｂ
特許請求の範囲の請求項２の　
「【請求項２】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えたことを特徴とする照明器具。」を、
「【請求項２】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えたことを特徴とする照明器具。」と訂正する。
　
ウ．訂正事項ｃ
特許請求の範囲の請求項１１の
「【請求項１１】上記被取付具の上記被挿入部の内周面の略半周に対応するように上記被挿入部の内周面両側から突出させた上記被係止部と、上記被挿入部に嵌合する上記取付具の外周面に設けられ上記被係止部を係止する上記係止部とを備えたことを特徴とする請求項１記載の照明器具。」を、
「【請求項１３】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えたことを特徴とする照明器具。」と訂正して請求項１３に繰り下げる。
　
エ．訂正事項ｄ
特許請求の範囲の請求項１２の
「【請求項１２】断面形状を略円形とする上記被挿入部と、該被挿入部に嵌合する外形が略円柱状の上記取付具と、略円周状に形成した上記係止部とを備えたことを特徴とする請求項１記載の照明器具。」を、
「【請求項１４】器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周状に形成した係止部と、上記被取付具に配設され、弾性付勢されて突出し上記係止部に係止される被係止部と、弾性付勢に抗して上記被係止部を後退させ、上記係止部との係止を解除する操作部とを備えたことを特徴とする照明器具。」と訂正して請求項１４に繰り下げる。
　
オ．訂正事項ｅ
特許請求の範囲の請求項１３の
「【請求項１３】上記中間アダプタの側面に上記係止部を設けたことを特徴とする請求項４記載の照明器具。」を、
「【請求項１１】上記中間アダプタの側面に上記係止部を設けたことを特徴とする請求項４記載の照明器具。」と訂正して、請求項１１に繰り上げる。
　
カ．訂正事項ｆ
特許請求の範囲の請求項１４の
「【請求項１４】上記被取付具を器具本体に一体に形成していることを特徴とする請求項２記載の照明器具。」を、
「【請求項１２】上記被取付具を器具本体に一体に形成していることを特徴とする請求項２記載の照明器具。」と訂正して、請求項１２に繰り上げる。
　
キ．訂正事項ｇ
発明の詳細な説明の段落番号【０００７】の
 「【０００７】請求項９記載の発明の目的とするところは、請求項８記載の発明の目的に加えて、照明器具の下面より突出した取付具をつかむことにより取付具の引掛シーリングローゼットからの離脱を含めた器具本体の取外しが一気に行える照明器具を提供するにある。　請求項１０記載の発明の目的とするところは、請求項１記載の発明の目的に加えて、外観が良好な照明器具を提供するにある。請求項１１記載の発明の目的とするところは、請求項１記載の発明の目的に加えて、防虫対策を施した照明器具を提供するにある。」を、
「【０００７】請求項９記載の発明の目的とするところは、請求項８記載の発明の目的に加えて、照明器具の下面より突出した取付具をつかむことにより取付具の引掛シーリングローゼットからの離脱を含めた器具本体の取外しが一気に行える照明器具を提供するにある。　請求項１０記載の発明の目的とするところは、請求項１記載の発明の目的に加えて、外観が良好な照明器具を提供するにある。請求項１１記載の発明の目的とするところは、請求項４記載の発明の目的に加えて、簡単な構造で確実に係止する照明器具を提供するにある。請求項１２記載の発明の目的とするところは、請求項２記載の発明の目的に加えて、被取付具を直接設けた器具本体を用いて簡単に照明器具を取り付けることができる照明器具を提供するにある。」と訂正する。
　
ク．訂正事項ｈ
発明の詳細な説明の段落番号【０００８】の
 「【０００８】請求項１２記載の発明の目的とするところは、請求項１記載の発明の目的に加えて、取付け後における被取付具側の回転があっても取付具側に衝撃が加わらない照明器具を提供するにある。請求項１３記載の発明の目的とするところは、請求項４記載の発明の目的に加えて、簡単な構造で確実に係止する照明器具を提供するにある。　請求項１４記載の発明の目的とするところは、請求項２記載の発明の目的に加えて、被取付具を直接設けた器具本体を用いて簡単に照明器具を取り付けることができる照明器具を提供するにある。」を、
「【０００８】請求項１３記載の発明の目的とするところは、誰でも簡単に照明器具を取付けられるよう配慮すると共に、防虫対策を施した照明器具を提供するにある。請求項１４記載の発明の目的とするところは、誰でも簡単に照明器具を取付けられるよう配慮すると共に、取付け後における被取付具側の回転があっても取付具側に衝撃が加わらない照明器具を提供するにある。」と訂正する。
　
ケ．訂正事項ｉ
発明の詳細な説明の段落番号【０００９】の
「【０００９】【課題を解決するための手段】上述の目的を達成するために、請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたものである。請求項２の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記取付具より弾性付勢されて突出する被係止部と、上記被取付具に配設され上記被係止部を係止する係止部と、上記取付具に配設され、弾性付勢に抗して上記係止部を後退させ、上記被係止部との係止を解除する操作部とを備えたものである。」を、
「【０００９】【課題を解決するための手段】上述の目的を達成するために、請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたものである。請求項２の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えたものである。」と訂正する。
　
コ．訂正事項ｊ
発明の詳細な説明の段落番号【００１４】の
「【００１４】請求項９記載の発明は、請求項８記載の構成において、上記貫通孔に嵌合した上記取付具の下端を上記貫通孔の下面開口から突出させるものである。請求項１０記載の発明は、請求項１の構成において、上記被取付具の被挿入部を、凹部状に形成するものである。請求項１１記載の発明は、請求項１記載の構成において、上記被取付具の上記被挿入部の内周面の略半周に対応するように上記被挿入部の内周面両側から突出させた上記被係止部と、上記被挿入部に嵌合する上記取付具の外周面に設けられ上記被係止部を係止する上記係止部とを備えたものである。」を、
「【００１４】請求項９記載の発明は、請求項８記載の構成において、上記貫通孔に嵌合した上記取付具の下端を上記貫通孔の下面開口から突出させるものである。請求項１０記載の発明は、請求項１の構成において、上記被取付具の被挿入部を、凹部状に形成するものである。請求項１１記載の発明は、請求項４記載の構成において、上記中間アダプタの側面に上記係止部を設けたものである。請求項１２の発明は、請求項２記載の構成において、上記被取付具を器具本体に一体に形成しているものである。」と訂正する。
　
サ．訂正事項ｋ
発明の詳細な説明の段落番号【００１５】の
「【００１５】請求項１２記載の発明は、請求項１記載の構成において、断面形状を略円形とする上記被挿入部と、該被挿入部に嵌合する外形が略円柱状の上記取付具と、略円周状に形成した上記係止部とを備えたものである。請求項１３記載の発明は、請求項４の構成において、上記中間アダプタの側面に上記係止部を設けたものである。請求項１４記載の発明は、請求項２記載の構成において、上記被取付具を器具本体に一体に形成しているものである。」を、
「【００１５】請求項１３の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えたものである。請求項１４記載の発明は、器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周上に形成した係止部と、上記被取付具に配設され、弾性付勢されて突出し上記係止部に係止される被係止部と、弾性付勢に抗して上記被係止部を後退させ、上記係止部との係止を解除する操作部とを備えたものである。」と訂正する。
　
シ．訂正事項ｌ
発明の詳細な説明の段落番号【００１６】の
「【００１６】【作用】請求項１に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続により器具本体側への電気的接続も簡単に行える。また器具本体を取り外す際も、操作部を操作するだけで簡単に行える。また請求項２に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、取付具から突出する被係止部を被取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続により器具本体側への電気的接続も簡単に行える。また器具本体を取り外す際も、操作部を操作するだけで簡単に行える。」を、
「【００１６】【作用】請求項１に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続が取付具への被取付具の取付けと同時に行えることにより器具本体側への電気的接続も簡単に行える。また器具本体を取り外す際も、操作部を操作するだけで簡単に行える。また請求項２に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、取付具から突出する被係止部を被取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続が取付具への被取付具の取付けと同時に行えることにより器具本体側への電気的接続も簡単に行える。また器具本体を取り外す際も、操作部を操作するだけで簡単に行える。」と訂正する。
　
ス．訂正事項ｍ
発明の詳細な説明の段落番号【００２２】の
「【００２２】更に上記被取付具の上記被挿入部の内周面の略半周に対応するように上記被挿入部の内周面両側から突出させた上記被係止部と、上記被挿入部に嵌合する上記取付具の外周面に設けられ上記被係止部を係止する上記係止部とを備えれば、被挿入部における取付具と被取付具との嵌合部位の密閉度が高くなり、照明器具の防虫対策が確実となる。」を、
「【００２２】更に上記中間アダプタの側面に上記係止部を設ければ、簡単な構造で確実に係止する照明器具が実現できる。更に上記被取付具を器具本体に一体に形成すれば、照明器具の取り付けに必要な部品点数を削減することができ、更に簡単に天井への取付けを行える。」と訂正する。
　
セ．訂正事項ｎ
発明の詳細な説明の段落番号【００２３】の
「【００２３】また更に断面形状を略円形とする上記被挿入部と、該被挿入部に嵌合する外形が略円柱状の上記取付具と、略円周状に形成した上記係止部とを備えれば、被取付具と取付具の嵌合係止後において器具本体が回転したりして被取付具が回転しても、取付具への回転による衝撃が加わらず、安全であり、しかも被取付具の取付具への嵌合係止位置が回転自在に設定できる。更に上記中間アダプタの側面に上記係止部を設ければ、簡単な構造で確実に係止する照明器具が実現できる。更に上記被取付具を器具本体に一体に形成すれば、照明器具の取り付けに必要な部品点数を削減することができ、更に簡単に天井への取付けを行える。」を、
「【００２３】請求項１３の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被挿入部における取付具と被取付具との嵌合部位の密閉度が高くなり、照明器具の防虫対策が確実となる。請求項１４記載の発明は、器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周上に形成した係止部と、上記被取付具に配設され、弾性付勢されて突出し上記係止部に係止される被係止部と、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被取付具と取付具の嵌合係止後において器具本体が回転したりして被取付具が回転しても、取付具への回転による衝撃が加わらず、安全であり、しかも被取付具の取付具への嵌合係止位置が回転自在に設定できる。」と訂正する。
　
ソ．訂正事項ｏ
発明の詳細な説明の段落番号【００５６】の
「【００５６】【発明の効果】請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続により器具本体側への電気的接続も簡単に行える。また器具本体を取り外す際も、操作部を操作するだけで簡単に行えるという効果がある。請求項２記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、取付具から突出する被係止部を被取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続により器具本体側への電気的接続も簡単に行える。また器具本体を取り外す際も、操作部を操作するだけで簡単に行えるという効果がある。請求項３記載の発明は、取付具を天井に固定したので、照明器具の取り付けに必要な部品点数を削減することができ、更に簡単に天井への取付けを行えるという効果がある。」
 を、
「【００５６】【発明の効果】請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続が取付具への被取付具の取付と同時に行えることにより器具本体側への電気的接続も簡単に行える。また器具本体を取り外す際も、操作部を操作するだけで簡単に行えるという効果がある。請求項２記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、取付具から突出する被係止部を被取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続が取付具への被取付具の取付と同時に行えることにより器具本体側への電気的接続も簡単に行える。また器具本体を取り外す際も、操作部を操作するだけで簡単に行えるという効果がある。請求項３記載の発明は、取付具を天井に固定したので、照明器具の取り付けに必要な部品点数を削減することができ、更に簡単に天井への取付けを行えるという効果がある。」と訂正する。
　
タ．訂正事項ｐ
発明の詳細な説明の段落番号【００６２】の
「【００６２】請求項１０記載の発明は、上記被取付具の被挿入部を、凹部状に形成するので、被取付具を照明器具の下面に露出させる場合であっても、取付具と被取付具との接続部分が照明器具の下面に露出することが無く、外観を向上することができるという効果がある。請求項１１記載の発明は、上記被取付具の上記被挿入部の内周面の略半周に対応するように上記被挿入部の内周面両側から突出させた上記被係止部と、上記被挿入部に嵌合する上記取付具の外周面に設けられ上記被係止部を係止する上記係止部とを備えるので、被挿入部における取付具と被取付具との嵌合部位の密閉度が高くなり、照明器具の防虫対策が確実となるという効果がある。」を、
「【００６２】請求項１０記載の発明は、上記被取付具の被挿入部を、凹部状に形成するので、被取付具を照明器具の下面に露出させる場合であっても、取付具と被取付具との接続部分が照明器具の下面に露出することが無く、外観を向上することができるという効果がある。請求項１１記載の発明は、上記中間アダプタの側面に上記係止部を設けてあるので、簡単な構造で確実に係止する照明器具が実現できる。請求項１２記載の発明は、上記被取付具を器具本体に一体に形成するので、照明器具の取り付けに必要な部品点数を削減することができ、更に簡単に天井への取付を行えるいう効果がある。」と訂正する。
　
チ．訂正事項ｑ
発明の詳細な説明の段落番号【００６３】の
「【００６３】請求項１２記載の発明は、断面形状を略円形とする上記被挿入部と、該被挿入部に嵌合する外形が略円柱状の上記取付具と、略円周状に形成した上記係止部とを備えるので、被取付具と取付具の嵌合係止後において器具本体が回転したりして被取付具が回転しても、取付具への回転による衝撃が加わらず、安全であり、しかも被取付具の取付具への嵌合係止位置が回転自在に設定できるという効果がある。請求項１３記載の発明は、上記中間アダプタの側面に上記係止部を設けてあるので、簡単な構造で確実に係止する照明器具が実現できる　請求項１４記載の発明は、上記被取付具を器具本体に一体に形成するので、照明器具の取り付けに必要な部品点数を削減することができ、更に簡単に天井への取付けを行えるという効果がある。」を、
「【００６３】請求項１３の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被挿入部における取付具と被取付具との嵌合部位の密閉度が高くなり、照明器具の防虫対策が確実となるという効果がある。
請求項１４記載の発明は、器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周上に形成した係止部と、上記被取付具に配設され、弾性付勢されて突出し上記係止部に係止される被係止部と、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被取付具と取付具の嵌合係止後において器具本体が回転したりして被取付具が回転しても、取付具への回転による衝撃が加わらず、安全であり、しかも被取付具の取付具への嵌合係止位置が回転自在に設定できるという効果がある。」と訂正する。
　
（２）訂正の目的の適否、新規事項の有無及び拡張変更の存否
　訂正事項ａ、ｂ：特許請求の範囲の請求項１および請求項２において、受電部が「取付具への被取付具の取付けと同時に」給電部に接続されることを限定したものであるから、特許請求の範囲の減縮に相当するものであり、この新たに減縮した点は、本件の明細書の段落【００２５】や【００４１】に記載されている。
　訂正事項ｃ、ｄ：請求項１の訂正にともなって、訂正前の請求項１に対する従属形式で記載されていた請求項１１、１２を独立形式の記載としたものであるから、明りょうでない記載の釈明に相当する。
　訂正事項ｅ、ｆ：訂正事項ｃ、ｄによって、請求項の番号を繰り上げることが必要となったものであるから、明りょうでない記載の釈明に相当する。
　訂正事項ｇないしｑ：上記訂正事項ａないしｆに発明の詳細な説明の記載を対応させたものであるから、明りょうでない記載の釈明に相当する。
　そして、上記いずれの訂正事項も、新規事項の追加に該当せず、本件発明の課題に変更を及ぼすものではないから、実質上、特許請求の範囲を拡張又は変更するものではない。
　
（３）むすび
　以上のとおりであるから、上記訂正は、特許法等の一部を改正する法律（平成６年法律第１１６条）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
　
３．特許異議申立てについての判断
（１）申立ての理由の概要
　特許異議申立人　東芝ライテック株式会社は、甲第１号証ないし甲第４号証を提出し、本件の請求項１ないし１４に係る発明は、当業者が、甲第１号証ないし甲第４号証に記載された発明に基いて容易になし得たものであるから、特許法第２９条第２項の規定により特許を受けることができないものである。よって、本件の請求項１ないし１４に係る発明は、特許法第１１３条第１項第２号の規定により取消されるべきものであると主張している。
　
（２）本件の請求項１ないし１４に係る発明
　上記２．で示したように訂正が認められるから、本件の請求項１ないし１４に係る発明は、上記訂正請求に係る訂正明細書の特許請求の範囲の請求項１ないし１４に記載された事項により特定される次のとおりのものと認める。
「【請求項１】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたことを特徴とする照明器具。
【請求項２】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えたことを特徴とする照明器具。
【請求項３】上記取付具を天井に直接固定していることを特徴とする請求項１記載の照明器具。
【請求項４】上記取付具は、天井に取り付けられた引掛シーリングローゼットに取り付けられる引掛シーリングプラグを上面に設け該引掛シーリングプラグを上記引掛シーリングローゼットに引掛接続する中間アダプタにより構成されることを特徴とする請求項１又は２記載の照明器具。
【請求項５】上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記操作部の位置と上記ソケットの位置と上記ランプホルダーとの位置とを略同一直線上に設定したことを特徴とする請求項１記載の照明器具。
【請求項６】上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記ソケットの位置と上記ランプホルダーとの位置とを略同一直線上に設定するとともに、上記操作部の位置を上記直線と略直交する直線上に設定したことを特徴とする請求項１記載の照明器具。
【請求項７】上記操作部の並び方向に対して略直交する方向で上記器具本体の下面中央部に把手部を設けたことを特徴とする請求項５又は６記載の照明器具。
【請求項８】上記被取付具の被挿入部を、上記器具本体を上下に貫通する貫通孔で形成したことを特徴とする請求項１又は２記載の照明器具。
【請求項９】上記貫通孔に嵌合した上記取付具の下端を上記貫通孔の下面開口から突出させることを特徴とする請求項８記載の照明器具。
【請求項１０】上記被取付具の被挿入部を、凹部状に形成したことを特徴とする請求項１記載の照明器具。
【請求項１１】上記中間アダプタの側面に上記係止部を設けたことを特徴とする請求項４記載の照明器具。
【請求項１２】上記被取付具を器具本体に一体に形成していることを特徴とする請求項２記載の照明器具。
【請求項１３】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えたことを特徴とする照明器具。
【請求項１４】器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周状に形成した係止部と、上記被取付具に配設され、弾性付勢されて突出し上記係止部に係止される被係止部と、弾性付勢に抗して上記被係止部を後退させ、上記係止部との係止を解除する操作部とを備えたことを特徴とする照明器具。」
　
（３）各甲号証記載の発明
刊行物１：実公昭５５−３３５４５号公報（甲第１号証）（以下「刊行物１」という。）
　上記刊行物１には、「照明器具」に関し、以下の事項が図面とともに記載されている。
「２は取付具であり、上記引掛シーリングロゼットを逃がす逃し孔を有する円形リング状で天井に固定される基板部２ａと、該基板部２ａの外方に突出すると共に天井面との間に隙間を有するように形成される１対の吊下げ用突片２ｂ、２ｂより成る。３は、円板状の器具本体であり、その周縁には補強リブ３ａが折曲され、その中央には上記基板部２ａが貫通する円形状の透孔４と上記吊下げ用突片２ｂが貫通し上記円形状の透孔４に連通する１対の透孔５、５とが穿設されている。６，６，６は器具本体３に３等分配置され取付けられるソケットである。７，７は器具本体３に沿って移動して上記透孔５をそれぞれ開閉するべき透孔閉止板であり後部に立上り壁８をそれぞれ有している。」（公報第１欄第３７行〜第２欄第１４行）
「透孔閉止板７，７をそれぞれコイルばね１２のバネ力に抗して手で移動させ透孔５，５を開状態にし、円形状の透孔４を取付具３の基板部２ａに位置合せしつつ、器具本体３を天井に向けて押上げる。（第３図ａはかかる状態を示している。）透孔５，５に取付具２の吊下げ用突片２ｂ，２ｂが貫通した後、コイルばね１２を押縮めていた手を解除すれば、透孔閉止板７はコイルばね１２の付勢力により透孔５を閉状態にし透孔５から吊下げ用突片２ｂが抜けることはなくなる。（第３図ｂはかかる状態を示している。）従って器具本体３は吊下げ用突片２ｂ，２ｂにより下方から完全に支えられたことにな（る。）」（公報第２欄第３２行〜第３欄第７行）
刊行物２：実願昭６２−２２２０４号（実開昭６３−１２９９１５号）のマイクロフィルム（甲第２号証）（以下「刊行物２」という。）
　上記刊行物２には、「照明器具取付装置」に関し、以下の事項が図面とともに記載されている。
「天井１には引掛シーリングボディ２と取付板３とをあらかじめ固着してある。筒状をなす取付アダプタ４は例えばねじ５を取付板３に螺合することにより天井１に取付けられ、側面に係止孔６を設けてある。」（刊行物２第３頁第８〜１２行）
「係止解除部材１２は、周囲にばね１３を巻装した中間部が本体７に貫通され、上端には上方移動により係止部８を内向きに変位させる斜面状の直交変換部１４を有し、下端の操作部１５は本体７の下面に露出されている。」（刊行物２第３頁第１６〜２０行）
「取付アダプタ４の中間側面は外向きに広がる段部２１をもち、その端から本体７の側面に従って延出されてから外向きに大きく広がる反射面２２をもち、反射面２２の端部にはよく知られたグローブ取付具２３を設けて、グローブ２４を取付けてある。本体７の上面にはコード２５と引掛シーリングキャップ２６を導出してあり、本体７の下面には支持ばね２７を介して環状けい光ランプ２８を保持している。上記構成によれば、本体７を取付アダプタ４に取付けるには、引掛シーリングキャップ２６を引掛シーリングボディ２に結合してから本体７を取付アダプタ４の下面から押し上げる。・・・さらに本体７を押し上げると係止部８が係止孔６にはまるようになって、本体７が取付アダプタ４に取付られる。又、本体７を取付アダプタ４から取外すには、操作部１５を押上げる。この際、直交変換部１４が係止部８を内向きに変位させるので、係止部８が係止孔６から解除され、そのまま、本体７を下げると取外すことができる。」（刊行物２第４頁第８行〜第５頁第９行）
刊行物３：実公昭４６−２２３９１号公報（甲第４号証）（以下「刊行物３」という。）
　上記刊行物３には、「照明器具」に関し、以下の事項が図面とともに記載されている。
「カバーＢは一端が閉じた円筒形で、この外周面は前記係着つば３ａ、３ｂの内縁５ａ，５ｂに当接し、開口縁外縁に前記係着つば３ａ、３ｂに回動によって内接的に係合する係合突縁１１ａ，１１ｂを突設し、この係合突縁の１つ１１ａの終端に係止突起１２を設ける。また、このカバーＢの閉そく端上面に１対の引っ掛け形接触子１３ａ、１３ｂを折曲部を内側に向けて対設し、この接触子１３ａ、１３ｂの前記カバーＢの内部に延在して形成した端子（図示しない）に接続したコード１４の他端に前記プラグ９に嵌合するプラグ受け１５を接続する。」（公報第２欄第１９〜３０行）
「この照明器具を直付け形として使用するには、前記器具本体Ａのプラグ９を前記直付け用カバーＢのプラグ受け１５に接続してから直付け用カバーＢ内に入れ、・・・天井１６の引つ掛けシーリング形ローゼット１８の蓋を取外し、この蓋の代りに前記器具本体Ａに取付けた前記直付け用カバーＢの引つ掛け形接触子１３ａ、１３ｂを引つ掛けシーリング形ローゼット１８の接触板２１ａ、２１ｂに通常の方法で接続すれば、取付けは完了する。」（公報第３欄第９〜第４欄第１行）
　なお、申立人の提出した甲第３号証（特許２５００９１６号公報）は、公報発行日（平成８年５月２９日）が、本願の出願日（国内優先日平成２年１０月２４日）より後となるので、特許法第２９条第２項の規定に違反する旨の申立人の主張の根拠となる証拠としては採用できない。
　
（４）対比判断
（請求項１に係る発明について）
　本件の請求項１に係る発明と、上記刊行物１ないし３に記載の発明とを比較すると、上記刊行物１ないし３に記載された発明は、本件の請求項１および請求項２に係る発明を特定する事項である「取付具への被取付具の取付けと同時に給電部に接続される受電部」を具備するものではなく、この構成によって、「給電部と受電部との接続が取付具への被取付具の取付けと同時に行えることにより器具本体側への電気的接続も簡単に行える。」という顕著な効果を奏するものである。
　
（請求項２に係る発明について）
　本件の請求項２に係る発明と、上記刊行物１ないし３に記載の発明とを比較すると、上記刊行物１ないし３に記載された発明は、本件の請求項１および請求項２に係る発明を特定する事項である「取付具への被取付具の取付けと同時に給電部に接続される受電部」を具備するものではなく、この構成によって、「給電部と受電部との接続が取付具への被取付具の取付けと同時に行えることにより器具本体側への電気的接続も簡単に行える。」という顕著な効果を奏するものである。
　
（請求項３ないし請求項１２に係る発明について）
　請求項３ないし６、８、１０、１２は、請求項１または２の従属形式で記載されており、さらに、請求項７は請求項５または６、請求項９は請求項８、請求項１１は請求項４の従属形式で記載されているので、請求項３ないし請求項１２に係る発明は、上記請求項１または請求項２の構成を特定するものとなるから、上記請求項１または２に対する判断と同様の理由による。
　
（請求項１３に係る発明について）
　本件の請求項１３に係る発明と、上記刊行物１ないし３に記載された発明とを比較すると、上記刊行物１ないし３に記載された発明は、本件の請求項１３に係る発明を特定する事項である「被取付具の被挿入部の内周面の略半周に対応するように被挿入部の内周面両側から弾性付勢されて突出する被係止部と、被挿入部に嵌合する取付具の外周面に設けられ被係止部を係止する上記係止部」を具備するものではなく、この構成によって、「被挿入部における取付具と被取付具との嵌合部位の密度が高くなり、照明器具の防虫対策が確実となる」という顕著な効果を奏するものである。
　
（請求項１４に係る発明について）
　本件の請求項１４に係る発明と、上記刊行物１ないし３に記載された発明とを比較すると、上記刊行物１ないし３に記載された発明は、本件の請求項１４に係る発明を特定する事項である「外形が略円柱状の取付具」および「取付具に略円周上に形成した係止部」を具備するものではなく、この構成によって、「被取付具と取付具の嵌合係止後において器具本体が回転したりして被取付具が回転しても、取付具への回転による衝撃が加わらず、安全であり、しかも被取付具の取付具への嵌合停止位置が回転自在に設定できる」
という顕著な効果を奏するものである。
　次に、上記各刊行物ごとに検討すると、
　刊行物１には、器具本体３を取付具２に設けられた吊下げ用突片２ｂ、２ｂにより下方から支えたものであり、ばね力に抗して透孔閉止板７、７を手で移動させることによって器具本体３と吊下げ用突片２ｂ、２ｂの係合が解除できる点が記載されているが、取付具２に給電部に相当する引掛シーリングローゼット１を配設したものではなく、取付具２への器具本体３の取付と同時に引掛シーリングローゼット１に給電するものでもない。また、被係止部に相当する透孔閉止板７も透孔４の内周面の略半周に対応したものとはいえず、さらに、係止部に相当する取付具２の吊下げ用突片２ｂが略円周状に形成されたものではない。
　刊行物２には、取付アダプタ４と本体７との間の係止部８の係止解除部材１２の構造が記載されているが、これに、取付と同時に給電部に接続される点の記載はないし、弾性付勢されて突出する係止部８も係止孔６の内周面の略半周に対応したものとはいえず、さらに、取付アダプタ４の係止部である係止孔６が略円周状に形成されたものではない。
　刊行物３には、照明器具を直付け形として使用するために、器具本体Ａのプラグ９を前記直付け用カバーＢのプラグ受け１５に接続してから直付け用カバーＢ内に入れ、・・・天井１６の引つ掛けシーリング形ローゼット１８の蓋を取外し、この蓋の代りに前記器具本体Ａに取付けた前記直付け用カバーＢの引つ掛け形接触子１３ａ、１３ｂを引つ掛けシーリング形ローゼット１８の接触板２１ａ、２１ｂに通常の方法で接続する点が記載されているが、このものは、予め、直付け用カバーＢを器具本体Ａに組み付けておいてから天井１６の引っ掛けシーリング形ローゼットに取り付けるものであるから、刊行物３には、そもそも本件発明の前提となる「天井に配備される取付具」に相当する構成がない。
　したがって、上記刊行物１ないし３のいずれにも、本件発明に係る上記の特徴点に関する記載はないし、また、上記刊行物１ないし３に記載の発明を単に寄せ集めたとしても本件発明に至らないことも明らかである。
　　
（５）むすび
　以上のとおりであるから、特許異議申立の理由及び証拠によっては、本件発明についての特許は取り消すことができない。
　また、他に本件発明についての特許を取り消すべき理由を発見しない。
　よって、結論のとおり決定する。
【異議決定日】
平成１３年９月１７日（２００１．９．１７）
【訂正の要旨】
　訂正の要旨
ア．訂正事項ａ
特許請求の範囲の請求項１の
「【請求項１】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたことを特徴とする照明器具。」を、
「【請求項１】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたことを特徴とする照明器具。」と訂正する。
イ．訂正事項ｂ
特許請求の範囲の請求項２の
「【請求項２】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えたことを特徴とする照明器具。」を、
「【請求項２】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えたことを特徴とする照明器具。」と訂正する。
ウ．訂正事項ｃ
特許請求の範囲の請求項１１の
「【請求項１１】上記被取付具の上記被挿入部の内周面の略半周に対応するように上記被挿入部の内周面両側から突出させた上記被係止部と、上記被挿入部に嵌合する上記取付具の外周面に設けられ上記被係止部を係止する上記係止部とを備えたことを特徴とする請求項１記載の照明器具。」を、
「【請求項１３】器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えたことを特徴とする照明器具。」と訂正して請求項１３に繰り下げる。
エ．訂正事項ｄ
特許請求の範囲の請求項１２の
「【請求項１２】断面形状を略円形とする上記被挿入部と、該被挿入部に嵌合する外形が略円柱状の上記取付具と、略円周状に形成した上記係止部とを備えたことを特徴とする請求項１記載の照明器具。」を、
「【請求項１４】器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周状に形成した係止部と、上記被取付具に配設され、弾性付勢されて突出し上記係止部に係止される被係止部と、弾性付勢に抗して上記被係止部を後退させ、上記係止部との係止を解除する操作部とを備えたことを特徴とする照明器具。」と訂正して請求項１４に繰り下げる。
オ．訂正事項ｅ
特許請求の範囲の請求項１３の
「【請求項１３】上記中間アダプタの側面に上記係止部を設けたことを特徴とする請求項４記載の照明器具。」を、
「【請求項１１】上記中間アダプタの側面に上記係止部を設けたことを特徴とする請求項４記載の照明器具。」と訂正して、請求項１１に繰り上げる。
カ．訂正事項ｆ
特許請求の範囲の請求項１４の
「【請求項１４】上記被取付具を器具本体に一体に形成していることを特徴とする請求項２記載の照明器具。」を、
「【請求項１２】上記被取付具を器具本体に一体に形成していることを特徴とする請求項２記載の照明器具。」と訂正して、請求項１２に繰り上げる。
キ．訂正事項ｇ
発明の詳細な説明の段落番号【０００７】の
　「【０００７】請求項９記載の発明の目的とするところは、請求項８記載の発明の目的に加えて、照明器具の下面より突出した取付具をつかむことにより取付具の引掛シーリングローゼットからの離脱を含めた器具本体の取外しが一気に行える照明器具を提供するにある。　請求項１０記載の発明の目的とするところは、請求項１記載の発明の目的に加えて、外観が良好な照明器具を提供するにある。請求項１１記載の発明の目的とするところは、請求項１記載の発明の目的に加えて、防虫対策を施した照明器具を提供するにある。」を、
「【０００７】請求項９記載の発明の目的とするところは、請求項８記載の発明の目的に加えて、照明器具の下面より突出した取付具をつかむことにより取付具の引掛シーリングローゼットからの離脱を含めた器具本体の取外しが一気に行える照明器具を提供するにある。　請求項１０記載の発明の目的とするところは、請求項１記載の発明の目的に加えて、外観が良好な照明器具を提供するにある。請求項１１記載の発明の目的とするところは、請求項４記載の発明の目的に加えて、簡単な構造で確実に係止する照明器具を提供するにある。請求項１２記載の発明の目的とするところは、請求項２記載の発明の目的に加えて、被取付具を直接設けた器具本体を用いて簡単に照明器具を取り付けることができる照明器具を提供するにある。」と訂正する。
ク．訂正事項ｈ
発明の詳細な説明の段落番号【０００８】の
　「【０００８】請求項１２記載の発明の目的とするところは、請求項１記載の発明の目的に加えて、取付け後における被取付具側の回転があっても取付具側に衝撃が加わらない照明器具を提供するにある。請求項１３記載の発明の目的とするところは、請求項４記載の発明の目的に加えて、簡単な構造で確実に係止する照明器具を提供するにある。
　請求項１４記載の発明の目的とするところは、請求項２記載の発明の目的に加えて、被取付具を直接設けた器具本体を用いて簡単に照明器具を取り付けることができる照明器具を提供するにある。」を、
「【０００８】請求項１３記載の発明の目的とするところは、誰でも簡単に照明器具を取付けられるよう配慮すると共に、防虫対策を施した照明器具を提供するにある。請求項１４記載の発明の目的とするところは、誰でも簡単に照明器具を取付けられるよう配慮すると共に、取付け後における被取付具側の回転があっても取付具側に衝撃が加わらない照明器具を提供するにある。」と訂正する。
ケ．訂正事項ｉ
発明の詳細な説明の段落番号【０００９】の
「【０００９】【課題を解決するための手段】上述の目的を達成するために、請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたものである。請求項２の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記取付具より弾性付勢されて突出する被係止部と、上記被取付具に配設され上記被係止部を係止する係止部と、上記取付具に配設され、弾性付勢に抗して上記係止部を後退させ、上記被係止部との係止を解除する操作部とを備えたものである。」を、
「【０００９】【課題を解決するための手段】上述の目的を達成するために、請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えたものである。請求項２の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えたものである。」と訂正する。
コ．訂正事項ｊ
発明の詳細な説明の段落番号【００１４】の
「【００１４】請求項９記載の発明は、請求項８記載の構成において、上記貫通孔に嵌合した上記取付具の下端を上記貫通孔の下面開口から突出させるものである。請求項１０記載の発明は、請求項１の構成において、上記被取付具の被挿入部を、凹部状に形成するものである。請求項１１記載の発明は、請求項１記載の構成において、上記被取付具の上記被挿入部の内周面の略半周に対応するように上記被挿入部の内周面両側から突出させた上記被係止部と、上記被挿入部に嵌合する上記取付具の外周面に設けられ上記被係止部を係止する上記係止部とを備えたものである。」を、
「【００１４】請求項９記載の発明は、請求項８記載の構成において、上記貫通孔に嵌合した上記取付具の下端を上記貫通孔の下面開口から突出させるものである。請求項１０記載の発明は、請求項１の構成において、上記被取付具の被挿入部を、凹部状に形成するものである。請求項１１記載の発明は、請求項４記載の構成において、上記中間アダプタの側面に上記係止部を設けたものである。請求項１２の発明は、請求項２記載の構成において、上記被取付具を器具本体に一体に形成しているものである。」と訂正する。
サ．訂正事項ｋ
発明の詳細な説明の段落番号【００１５】の
「【００１５】請求項１２記載の発明は、請求項１記載の構成において、断面形状を略円形とする上記被挿入部と、該被挿入部に嵌合する外形が略円柱状の上記取付具と、略円周状に形成した上記係止部とを備えたものである。請求項１３記載の発明は、請求項４の構成において、上記中間アダプタの側面に上記係止部を設けたものである。請求項１４記載の発明は、請求項２記載の構成において、上記被取付具を器具本体に一体に形成しているものである。」を、
「【００１５】請求項１３の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えたものである。請求項１４記載の発明は、器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周上に形成した係止部と、上記被取付具に配設され、弾性付勢されて突出し上記係止部に係止される被係止部と、弾性付勢に抗して上記被係止部を後退させ、上記係止部との係止を解除する操作部とを備えたものである。」と訂正する。
シ．訂正事項ｌ
発明の詳細な説明の段落番号【００１６】の
「【００１６】【作用】請求項１に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続により器具本体側への電気的接続も簡単に行える。また器具本体を取り外す際も、操作部を操作するだけで簡単に行える。また請求項２に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、取付具から突出する被係止部を被取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続により器具本体側への電気的接続も簡単に行える。また器具本体を取り外す際も、操作部を操作するだけで簡単に行える。」を、
「【００１６】【作用】請求項１に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続が取付具への被取付具の取付けと同時に行えることにより器具本体側への電気的接続も簡単に行える。また器具本体を取り外す際も、操作部を操作するだけで簡単に行える。また請求項２に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、取付具から突出する被係止部を被取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続が取付具への被取付具の取付けと同時に行えることにより器具本体側への電気的接続も簡単に行える。また器具本体を取り外す際も、操作部を操作するだけで簡単に行える。」と訂正する。
ス．訂正事項ｍ
発明の詳細な説明の段落番号【００２２】の
「【００２２】更に上記被取付具の上記被挿入部の内周面の略半周に対応するように上記被挿入部の内周面両側から突出させた上記被係止部と、上記被挿入部に嵌合する上記取付具の外周面に設けられ上記被係止部を係止する上記係止部とを備えれば、被挿入部における取付具と被取付具との嵌合部位の密閉度が高くなり、照明器具の防虫対策が確実となる。」を、
「【００２２】更に上記中間アダプタの側面に上記係止部を設ければ、簡単な構造で確実に係止する照明器具が実現できる。更に上記被取付具を器具本体に一体に形成すれば、照明器具の取り付けに必要な部品点数を削減することができ、更に簡単に天井への取付けを行える。」と訂正する。
セ．訂正事項ｎ
発明の詳細な説明の段落番号【００２３】の
「【００２３】また更に断面形状を略円形とする上記被挿入部と、該被挿入部に嵌合する外形が略円柱状の上記取付具と、略円周状に形成した上記係止部とを備えれば、被取付具と取付具の嵌合係止後において器具本体が回転したりして被取付具が回転しても、取付具への回転による衝撃が加わらず、安全であり、しかも被取付具の取付具への嵌合係止位置が回転自在に設定できる。更に上記中間アダプタの側面に上記係止部を設ければ、簡単な構造で確実に係止する照明器具が実現できる。更に上記被取付具を器具本体に一体に形成すれば、照明器具の取り付けに必要な部品点数を削減することができ、更に簡単に天井への取付けを行える。」を、
「【００２３】請求項１３の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被挿入部における取付具と被取付具との嵌合部位の密閉度が高くなり、照明器具の防虫対策が確実となる。請求項１４記載の発明は、器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周上に形成した係止部と、上記被取付具に配設され、弾性付勢されて突出し上記係止部に係止される被係止部と、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被取付具と取付具の嵌合係止後において器具本体が回転したりして被取付具が回転しても、取付具への回転による衝撃が加わらず、安全であり、しかも被取付具の取付具への嵌合係止位置が回転自在に設定できる。」と訂正する。
ソ．訂正事項ｏ
発明の詳細な説明の段落番号【００５６】の
「【００５６】【発明の効果】請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続により器具本体側への電気的接続も簡単に行える。また器具本体を取り外す際も、操作部を操作するだけで簡単に行えるという効果がある。請求項２記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、取付具から突出する被係止部を被取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続により器具本体側への電気的接続も簡単に行える。また器具本体を取り外す際も、操作部を操作するだけで簡単に行えるという効果がある。請求項３記載の発明は、取付具を天井に固定したので、照明器具の取り付けに必要な部品点数を削減することができ、更に簡単に天井への取付けを行えるという効果がある。」
　を、
「【００５６】【発明の効果】請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記被取付具より弾性付勢されて突出する被係止部と、上記取付具に配設され上記被係止部を係止する係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続が取付具への被取付具の取付と同時に行えることにより器具本体側への電気的接続も簡単に行える。また器具本体を取り外す際も、操作部を操作するだけで簡単に行えるという効果がある。請求項２記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され取付具への被取付具の取付けと同時に上記給電部に接続される受電部と、上記取付具より弾性付勢されて突出する被係止部と、上記被取付具に配設され上記被係止部を係止する係止部と、上記取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、取付具から突出する被係止部を被取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも給電部と受電部との接続が取付具への被取付具の取付と同時に行えることにより器具本体側への電気的接続も簡単に行える。また器具本体を取り外す際も、操作部を操作するだけで簡単に行えるという効果がある。請求項３記載の発明は、取付具を天井に固定したので、照明器具の取り付けに必要な部品点数を削減することができ、更に簡単に天井への取付けを行えるという効果がある。」と訂正する。
タ．訂正事項ｐ
発明の詳細な説明の段落番号【００６２】の
「【００６２】請求項１０記載の発明は、上記被取付具の被挿入部を、凹部状に形成するので、被取付具を照明器具の下面に露出させる場合であっても、取付具と被取付具との接続部分が照明器具の下面に露出することが無く、外観を向上することができるという効果がある。請求項１１記載の発明は、上記被取付具の上記被挿入部の内周面の略半周に対応するように上記被挿入部の内周面両側から突出させた上記被係止部と、上記被挿入部に嵌合する上記取付具の外周面に設けられ上記被係止部を係止する上記係止部とを備えるので、被挿入部における取付具と被取付具との嵌合部位の密閉度が高くなり、照明器具の防虫対策が確実となるという効果がある。」を、
「【００６２】請求項１０記載の発明は、上記被取付具の被挿入部を、凹部状に形成するので、被取付具を照明器具の下面に露出させる場合であっても、取付具と被取付具との接続部分が照明器具の下面に露出することが無く、外観を向上することができるという効果がある。請求項１１記載の発明は、上記中間アダプタの側面に上記係止部を設けてあるので、簡単な構造で確実に係止する照明器具が実現できる。請求項１２記載の発明は、上記被取付具を器具本体に一体に形成するので、照明器具の取り付けに必要な部品点数を削減することができ、更に簡単に天井への取付を行えるいう効果がある。」と訂正する。
チ．訂正事項ｑ
発明の詳細な説明の段落番号【００６３】の
「【００６３】請求項１２記載の発明は、断面形状を略円形とする上記被挿入部と、該被挿入部に嵌合する外形が略円柱状の上記取付具と、略円周状に形成した上記係止部とを備えるので、被取付具と取付具の嵌合係止後において器具本体が回転したりして被取付具が回転しても、取付具への回転による衝撃が加わらず、安全であり、しかも被取付具の取付具への嵌合係止位置が回転自在に設定できるという効果がある。請求項１３記載の発明は、上記中間アダプタの側面に上記係止部を設けてあるので、簡単な構造で確実に係止する照明器具が実現できる　請求項１４記載の発明は、上記被取付具を器具本体に一体に形成するので、照明器具の取り付けに必要な部品点数を削減することができ、更に簡単に天井への取付けを行えるという効果がある。」を、
「【００６３】請求項１３の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被挿入部における取付具と被取付具との嵌合部位の密閉度が高くなり、照明器具の防虫対策が確実となるという効果がある。
請求項１４記載の発明は、器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周上に形成した係止部と、上記被取付具に配設され、弾性付勢されて突出し上記係止部に係止される被係止部と、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被取付具と取付具の嵌合係止後において器具本体が回転したりして被取付具が回転しても、取付具への回転による衝撃が加わらず、安全であり、しかも被取付具の取付具への嵌合係止位置が回転自在に設定できるという効果がある。」と訂正する。
（５４）【発明の名称】
照明器具
（５７）【特許請求の範囲】
　【請求項１】　器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され
取付具への被取付具の取付けと同時に
　【請求項２】　器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され
取付具への被取付具の取付けと同時に
　【請求項３】　上記取付具を天井に直接固定していることを特徴とする請求項１記載の照明器具。
　【請求項４】　上記取付具は、天井に取り付けられた引掛シーリングローゼットに取り付けられる引掛シーリングプラグを上面に設け該引掛シーリングプラグを上記引掛シーリングローゼットに引掛接続する中間アダプタにより構成されることを特徴とする請求項１又は２記載の照明器具。
　【請求項５】　上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記操作部の位置と上記ソケットの位置と上記ランプホルダーとの位置とを略同一直線上に設定したことを特徴とする請求項１記載の照明器具。
　【請求項６】　上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記ソケットの位置と上記ランプホルダーとの位置とを略同一直線上に設定するとともに、上記操作部の位置を上記直線と略直交する直線上に設定したことを特徴とする請求項１記載の照明器具。
　【請求項７】　上記操作部の並び方向に対して略直交する方向で上記器具本体の下面中央部に把手部を設けたことを特徴とする請求項５又は６記載の照明器具。
　【請求項８】　上記被取付具の被挿入部を、上記器具本体を上下に貫通する貫通孔で形成したことを特徴とする請求項１又は２記載の照明器具。
　【請求項９】　上記貫通孔に嵌合した上記取付具の下端を上記貫通孔の下面開口から突出させることを特徴とする請求項８記載の照明器具。
　【請求項１０】　上記被取付具の被挿入部を、凹部状に形成したことを特徴とする請求項１記載の照明器具。
　【
請求項１１
　【
請求項１２
　【
請求項１３
器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えたことを特徴とする照明器具。
　【
請求項１４
器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周状に形成した係止部と、上記被取付具に配設され、弾性付勢されて突出し上記係止部に係止される被係止部と、弾性付勢に抗して上記被係止部を後退させ、上記係止部との係止を解除する操作部とを備えたことを特徴とする照明器具。
【発明の詳細な説明】
　【０００１】
　【産業上の利用分野】
　本発明は、照明器具に関するものである。
　【０００２】
　【従来の技術】
　従来、照明器具の取付けはコードペンダント型の照明器具は別として、天井に設けた引掛シーリングローゼットに器具本体側の引掛シーリングプラグを接続する作業の他に、前記引掛シーリングローゼットの周囲において天井にリング状の耳付き取付金具をねじ止めするとともに、この取付金具に器具本体をねじ止めする作業を要していた。
　【０００３】
　【発明が解決しようとする課題】
　前記従来技術では、ねじ止め作業を多く必要とするため、誰でも簡単に照明器具を取付けられるものではなかった。本発明は上述の問題点に鑑みて為されたもので、請求項１及び２記載の発明の目的とするところは誰でも簡単に照明器具を取付けられるよう配慮した照明器具を提供するにある。
　【０００４】
　請求項３記載の発明の目的とするところは、請求項１記載の発明の目的に加えて、天井に直接設けた取付具に簡単に器具本体を取り付けることができる照明器具を提供するにある。請求項４記載の発明の目的とするところは、請求項１又は２記載の発明の目的に加えて、既設の引掛シーリングローゼットに対応した照明器具を提供するにある。
　【０００５】
　請求項５記載の発明の目的とするところは、請求項１記載の発明の目的に加えて、照明器具の取付け、取外しの際にランプ破損等を起こさずに安全に作業が行える照明器具を提供するにある。請求項６記載の発明の目的とするところは、請求項１記載の発明の目的に加えて、照明器具の取付け、取外しの際に器具本体を回転させる恐れが無い照明器具を提供するにある。
　【０００６】
　請求項７記載の発明の目的とするところは、請求項５又は６記載の発明の目的に加えて、片手で照明器具の取付施工が行える照明器具を提供するにある。請求項８記載の発明の目的とするところは、請求項１又は２記載の発明の目的に加えて、照明器具の下方から取付具の下面が視認できて、被取付具への嵌合時の方向等の位置合わせが容易に行え且つ正規の嵌合状態の確認が行える照明器具を提供するにある。
　【０００７】
　請求項９記載の発明の目的とするところは、請求項８記載の発明の目的に加えて、照明器具の下面より突出した取付具をつかむことにより取付具の引掛シーリングローゼットからの離脱を含めた器具本体の取外しが一気に行える照明器具を提供するにある。請求項１０記載の発明の目的とするところは、請求項１記載の発明の目的に加えて、外観が良好な照明器具を提供するにある。
請求項１１記載の発明の目的とするところは、請求項４記載の発明の目的に加えて、簡単な構造で確実に係止する照明器具を提供するにある。請求項１２記載の発明の目的とするところは、請求項２記載の発明の目的に加えて、被取付具を直接設けた器具本体を用いて簡単に照明器具を取り付けることができる照明器具を提供するにある。
　【０００８】
　
請求項１３記載の発明の目的とするところは、誰でも簡単に照明器具を取付けられるよう配慮すると共に、防虫対策を施した照明器具を提供するにある。請求項１４記載の発明の目的とするところは、誰でも簡単に照明器具を取付けられるよう配慮すると共に、取付け後における被取付具側の回転があっても取付具側に衝撃が加わらない照明器具を提供するにある。
　【０００９】
　【課題を解決するための手段】
　上述の目的を達成するために、請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され
取付具への被取付具の取付けと同時に
取付具への被取付具の取付けと同時に
　【００１０】
　請求項３記載の発明は、請求項１記載の構成において、上記取付具を天井に直接固定したものである。請求項４記載の発明は、請求項１又は２記載の構成において、上記取付具は、天井に取り付けられた引掛シーリングローゼットに取り付けられる引掛シーリングプラグを上面に設け該引掛シーリングプラグを上記引掛シーリングローゼットに引掛接続する中間アダプタにより構成したものである。
　【００１１】
　請求項５記載の発明は、請求項１記載の構成において、上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記操作部の位置と上記ソケットの位置と上記ランプホルダーとの位置とを略同一直線上に設定したものである。
　【００１２】
　請求項６記載の発明は、請求項１記載の構成において、上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記ソケットの位置と上記ランプホルダーとの位置とを略同一直線上に設定するとともに、上記操作部の位置を上記直線と略直交する直線上に設定したものである。
　【００１３】
　請求項７記載の発明は、請求項５又は６記載の構成において、上記操作部の並び方向に対して略直交する方向で上記器具本体の下面中央部に把手部を設けたものである。請求項８記載の発明は、請求項１又は２記載の構成において、上記被取付具の被挿入部を、上記器具本体を上下に貫通する貫通孔で形成したものである。
　【００１４】
　請求項９記載の発明は、請求項８記載の構成において、上記貫通孔に嵌合した上記取付具の下端を上記貫通孔の下面開口から突出させるものである。請求項１０記載の発明は、請求項１の構成において、上記被取付具の被挿入部を、凹部状に形成するものである。
請求項１１記載の発明は、請求項４記載の構成において、上記中間アダプタの側面に上記係止部を設けたものである。請求項１２記載の発明は、請求項２記載の構成において、上記被取付具を器具本体に一体に形成しているものである。
　【００１５】
　
請求項１３記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えた
器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周状に形成した係止部と、上記被取付具に配設され、弾性付勢されて突出し上記係止部に係止される被係止部と、弾性付勢に抗して上記被係止部を後退させ、上記係止部との係止を解除する操作部とを備えた
　【００１６】
　【作用】
　請求項１に記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され
取付具への被取付具の取付けと同時に
接続が取付具への被取付具の取付けと同時に行えること
取付具への被取付具の取付けと同時に
接続が取付具への被取付具の取付けと同時に行えること
　【００１７】
　尚取付具を天井に固定した場合には、照明器具の取り付けに必要な部品点数を削減することができ、更に簡単に天井への取付けを行える。更に上記取付具は、天井に取り付けられた引掛シーリングローゼットに取り付けられる引掛シーリングプラグを上面に設け該引掛シーリングプラグを上記引掛シーリングローゼットに引掛接続する中間アダプタにより構成されることにより、既設の引掛シーリングローゼットに対して対応することができ、中間アダプタたる取付具を予め引掛シーリングローゼットに取り付けておけば、器具本体の取付け、取外しは上下方向の操作で簡単に行える。
　【００１８】
　更に上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記操作部の位置と上記ソケットの位置と上記ランプホルダーとの位置とを略同一直線上に設定すれば、器具本体の取外し時に、ランプホルダーと、ソケットを掴んで操作することとなり、ランプを掴むことが無いためランプを破損することが無く安全である。
　【００１９】
　また上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記ソケットの位置と上記ランプホルダーとの位置とを略同一直線上に設定するとともに、上記操作部の位置を上記直線と略直交する直線上に設定すれば、器具本体を取り外す際にランプを掴む形となり、結果器具本体を強く持てない状態となって器具本体が回転しにくくなり、結果引掛シーリングローゼットに曲げモーメントが働きにくくなり安全である。
　【００２０】
　更に上記操作部の並び方向に対して略直交する方向で上記器具本体の下面中央部に把手部を設ければ、取付具の取付け施工が片手で行うことができ、作業性が一層向上する。更にまた上記被取付具の被挿入部を、上記器具本体を上下に貫通する貫通孔で形成すれば、貫通孔の下面開口、つまり照明器具の下方から取付具の下面が視認でき、そのため被取付具への嵌合方向等の位置決めや、嵌合状態の確認ができる。
　【００２１】
　また更に上記貫通孔に嵌合した上記取付具の下端を上記貫通孔の下面開口から突出させれば、取付具を被取付具の貫通孔に嵌合させる際のガイドとして取付具の長い側面が役立ち、また器具本体を取り外す際に、貫通孔の下方に突出した取付具の下部を持って操作すれば、取付具の引掛シーリングローゼットからの取外し操作と、器具本体の取外しとが一度に行える。更に上記被取付具の被挿入部を、凹部状に形成すれば、被取付具を照明器具の下面に露出させる場合であっても、取付具と被取付具との接続部分が照明器具の下面に露出することが無く、外観を向上することができる。
　【００２２】
　
更に上記中間アダプタの側面に上記係止部を設ければ、簡単な構造で確実に係止する照明器具が実現できる。更に上記被取付具を器具本体に一体に形成すれば、照明器具の取り付けに必要な部品点数を削減することができ、更に簡単に天井への取付けを行える。
　【００２３】
　
請求項１３記載の発明によれば、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被挿入部における取付具と被取付具との嵌合部位の密閉度が高くなり、照明器具の防虫対策が確実となる。請求項１４記載の発明は、器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周状に形成した係止部と、上記被取付具に配設され、弾性付勢されて突出し上記係止部に係止される被係止部と、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被取付具と取付具の嵌合係止後において器具本体が回転したりして被取付具が回転しても、取付具への回転による衝撃が加わらず、安全であり、しかも被取付具の取付具への嵌合係止位置が回転自在に設定できる。
　【００２４】
　【実施例】
　以下本発明を実施例により説明する。
（実施例１）
　本実施例は図１〜図４に示すように、天井１に通常固定されている引掛シーリングローゼット２に取付けられる引掛シーリングプラグ３ａを上面に有する中間アダプタ型の取付具３に対して器具本体５に一体に設けた被取付具４を介して器具本体５を取付ける構成を備える。
　【００２５】
　取付具３は、コードペンダント型の照明器具のつり下げに供せられる公知のものと異なり、この取付具３は照明器具の器具本体５の略中央上面に上端が開口し、下端が器具本体５の略中央下面に開口した被取付具４の貫通孔４ａの内部に挿入される。そして、取付具３の側面に設けた給電部３ｂに器具本体５の被取付具４側の受電部４ｂが下方から接続されるとともに、取付具３の側面に設けた係止部３ｃ（取付具３の対向する２つの側面にそれぞれ設けられる）に被取付具４側からスプリング４ｃによって弾性付勢されて横方向に突出する被係止部４ｄが係止される。
　【００２６】
　さらに、被係止部４ｄを前記弾性に抗して後退させて係止部３ｃとの係止を解除できる操作部４ｅを設けている。また、係止部３ｃは本実施例のように上下２段に設けられると好ましい。さらに本実施例を詳述すれば、取付具３は、ケース３ｄの開口部に枠板３ｅを介して引掛シーリングプラグ３ａを設けてあり、引掛シーリングプラグ３ａは、ねじ３ｆをケース３ｄの底面に螺合することでケース３ｄと固定される。給電部３ｂはケース３ｄの凹部３ｇ内に収まり、給電部３ｂは引掛シーリングプラグ３ａのプラグ刃３ｈと電気的に接続されている。引掛シーリングプラグ３ａの一端には公知のロックピン３ｉが設けてあり、このロックピン３ｉは取付具３を引掛シーリングローゼット２に回動取付けしたときに、引掛シーリングローゼット２の下面の円弧孔２ａ（後述する図７に示す）の一端に嵌合して、取付具３の戻りが防止される。取付具３を取り外すには、ケース３ｄの切欠部３ｊから一部が露出する公知の解除ボタン３ｋを押圧しながら（ロックピン３ｉが下降する）、取付具３を逆回動するとよい。
　【００２７】
　被取付具４は、器具本体５のシャーシ５ａに開口した中央開口部の周縁にビス４ｇ等でシャーシ５ａに固定される枠体４ｈを設けている。枠体４ｈの下面には対向する一組の受電部４ｂをビス４ｉで固定し、やはり、枠体４ｈの下面に設けた対向する一組の切欠部４ｊには被係止部４ｄがスプリング４ｃとともに押え板４ｋで押えられて収められ、押え板４ｋはビス４ｍで枠体４ｈに固定される。枠４ｎはビス４ｐで枠体４ｈの下面に固定され、この際、操作部４ｅ上部は枠４ｎと押え板４ｋを通って被係止部４ｄ中央の切欠部４ｆにガイドされ、操作部４ｅの先端は枠体４ｈに通されて抜け止められる。
　【００２８】
　而して枠体４ｈの上下に貫通した貫通孔４ａが取付具３を挿入して嵌合するための被挿入部を構成する。器具本体５のその他の構成を概略説明すれば、器具本体５のシャーシ５ａの下面には反射板５ｂ、ランプソケットを兼ねたランプホルダー５ｃ、ランプ支持バネ５ｃ’、蛍光ランプ６、グローブ５ｄがあり、シャーシ５ａの中央下面開口（貫通孔４ａに連通）に対向してカバー５ｅを適宜設ける。このカバー５ｅは反射板５ｂ中央の孔縁に回動係止手段等の適宜手段で取り付けている。また、５ｆはシャーシ５ａの上面に貼り付けた防虫パッキンである。
　【００２９】
　本実施例によれば、図５に示すように引掛シーリングローゼット２に取付具３を取り付けた上で、器具本体５を押し上げて器具本体５の上面に開口した被取付具４の貫通孔４ａの内部に取付具３を嵌入するだけでよく、これによって、取付具３の側面に設けた給電部３ｂが器具本体５側の受電部４ｂに接続されるとともに、取付具３の側面に設けた係止部３ｃに器具本体５側から突出する被係止部４ｄが係止される。
　【００３０】
　この際貫通孔４ａの下面開口より、取付具３が視認できるため装着方向等の位置合わせと装着が極めて容易に行え、更に器具本体５の取付け状態でもカバー５ｅを取付けない状態では器具本体５の下方から視認できるため、正規に取り付けられているか否かの状態確認が容易に行える。また本実施例では取付具３の係止部３ｃを設けた両側側面は平面形状であり、且つ被取付具４側の貫通孔４ａの対応する両側内側面も平面形状であるため、取付具３を貫通孔４ａに嵌入させる際に、対面する平面同士により照明器具の取付け時における器具本体５の回転ずれ防止及び方向性の案内となり、そのため取付具３側の給電部３ｂと、被取付具４側の受電部４ｂと一致して接続部位に力が加わらないのである。勿論図６の破線で示すように取付具３が貫通孔４ａに対して位置ずれしている場合には嵌入できないのである。
　【００３１】
　以上のようにして器具本体５は照明器具が天井１に直付けされているように実に簡単に取付けでき、また器具本体５を取り外す際も、操作部４ｅを押し上げるように操作するだけで、被係止部４ｄが後退して係止部３ｃからはずれ、簡単に行える。また、係止部３ｃを上下２段に設けておくと、第３図と第４図のように高さの相違する２種の引掛シーリングローゼット２に対応でき、器具本体５の取付けに支障をきたさない。すなわち、第３図の角形の引掛シーリングローゼット２と第４図の丸形の引掛シーリングローゼット２とは高さが異なり、高さの高い第３図の引掛シーリングローゼット２に取り付けた場合は、被係止部４ｄは上方の係止部３ｃに係止され、高さの低い第４図の引掛シーリングローゼット２に取り付けた場合は、被係止部４ｄは下方の係止部３ｃに係止され、器具本体５と天井１との密着性をそれぞれ良好に保っている。
　【００３２】
　ところで本実施例に用いられる照明器具では図５、更には図７に示すように被取付具４側に設けられる操作部４ｅ、４ｅを同一直線上に配置し、この直線に直交する直線上にランプソケットを兼ねたランプホルダー５ｃ、ランプ支持バネ５ｃ’を配置する構造であるため、図８に示すように器具本体５の取付け時及び取外し時に蛍光ランプ６を掴むようになるため、器具本体５が掴みにくくて器具本体５を回転させるようなことがなくなり、引掛シーリングローゼット２に曲げモーメントがかからなく極めて安全である。
　【００３３】
　尚図７に示すように引掛シーリングローゼット２に角型引掛シーリングローゼットを用いた場合にはこの引掛シーリングローゼット２の外周に枠状スペーサ８を嵌合し、この枠状スペーサ８に取付具３を木ねじ９で固定して使用する。１０は引掛シーリングローゼット２を天井１に固定するための木ねじである。また１１はプルスイッチのレバー、１２はスイッチの引き紐である。また図７の場合にはドーム状のセード５ｇを用いた器具本体５を示す。
　【００３４】
（実施例２）
　前記実施例１では被取付具４側に設けられる操作部４ｅ、４ｅを同一直線上に配置され、この直線に直交する直線上にランプソケットを兼ねたランプホルダー５ｃ、ランプ支持バネ５ｃ’を配置する構造であったが、本実施例は図９に示すように操作部４ｅ、４ｅとランプホルダー５ｃ、ランプ支持バネ５ｃ’とを同一直線上に配置したもので、図１０に示すように器具本体５の取付け時及び取外し時にランプホルダー５ｃ、ランプ支持バネ５ｃ’とを掴むようになるため、蛍光ランプ６を掴むことがなく蛍光ランプ６を割ることもなく安全である上に持ちやすくなるという特徴がある。
　【００３５】
（実施例３）
　本実施例は照明器具の取付け施工を容易とするために、図１１に示すような略コ状の把手７を図１２に示す如く貫通孔４ａの下面開口側に、操作部４ｅ，４ｅと直交方向となるように取付けたもので、本実施例によれば図１３に示すように器具本体５の取付け施工が片手で行うことができる。
　【００３６】
（実施例４）
　実施例３では取付け施工を容易とするために、把手７を設けたものであるが、本実施例では図１４に示すように取付具３の全長寸法Ｌを被取付具４の貫通孔４ａの長さよりも長くして、図１５に示すように貫通孔４ａに取付具３を嵌入させた際その下部が貫通孔４ａの下面開口より突出するようになっている。つまり器具本体５の取外し作業の時、貫通孔４ａの下面開口より突出した取付具３の下部を掴んで、一気に取付具３を含めて引掛シーリングローゼット２より取り外すことができるのである。この場合図１５に示すように解除ボタン３ｋが貫通孔４ａの下面開口より下方に露出しているため、ロックピン３ｉの解除が容易に行える。また取付具３を貫通孔４ａに嵌入させる際のガイドとして取付部３の外周面が機能するもので、取付け性を向上させている。
　【００３７】
（実施例５）
　前記各実施例では取付具３の両側面の平面と、これに対応する被取付具４の貫通孔４ａの両側内面の平面とで嵌入の位置決めを行うようにしているが、本実施例では図１６に示すように取付具３の一端面に上下方向に案内溝１３を設け、この案内溝１３に摺動嵌合する突起部１４を被取付具４の貫通孔４ａの一端内面に設け、これら案内溝１３と突起部１４との嵌合により取付具３を貫通孔４ａに嵌入させる方向を一方向とするようになっている。
　【００３８】
　勿論突起部１４を貫通孔４ａ側に、案内溝１３を取付具３側に設けても良い。尚本実施例では給電部３ｂが内装される凹部３ｇは取付具３の両端面に設けてある。
（実施例６）
　前記各実施例では器具本体５側の被取付具４に対する給電部３ｂを取付具３に設けたものであるが、本実施例では図１７に示すように取付具３内にＵプラグ１５用の差込みコンセントの機構を内蔵するとともに、引掛シーリングプラグ１６用の引掛シーリングの機構を内蔵して、ケース３ｄ下面に夫々の差込み口１７、１８を設けており、取付具３から別電源が取れ、他の照明器具にも電源が給電できるようになっている。
　【００３９】
（実施例７）
　前記各実施例では取付具３は給電部３ｂをケース３ｄの凹部３ｇ内に内装する形で設けているが、ケース３ｄ内に給電部３ｂを設け、この給電部３ｂに接触させる被取付具４の受電部４ｂをケース３ｄ内に挿入する切欠溝３ｇ’を図１８に示すように設けても良い。尚切欠溝３ｇ’はケース３ｄの両側面でも両端面でも良い。
　【００４０】
（実施例８）
　前記各実施例は取付具３の給電部３ｂに対する被取付具４の受電部４ｂの接続は取付具３のケース３ｄに設けた凹部３ｇ又は切欠溝３ｇ’に受電部４ｂを挿入することにより行うようになっているが、本実施例は図１９に示すように取付具３の側面に設けてある係止部３ｃ（図示する例では上下２段の係止部３ｃを設けている）に給電部３ｂの舌片２０を出し、一方器具本体５側の被取付具４の被係止部４ｄに受電部４ｂを取付け、被係止部４ｄと一体に操作部４ｅの操作によって横方向に可動するようになっている。２１は受電部４ｂに給電するための内部配線である。
　【００４１】
　而して本実施例によれば取付具３の係止部３ｃに器具本体５の被取付具４の被係止部４ｄが係止されることにより、同時に取付具３の給電部３ｂと、被取付具４の受電部４ｂとが図示するように接続し給電部３ｂから受電部４ｂに通電する。
（実施例９）
　前記各実施例の取付具３は引掛シーリングローゼット２と器具本体５との間に介在する中間アダプタの形で構成されているが、内部に光ワイヤレス信号の受信部を設け、この受信部による制御によって器具本体５側への通電をオン、オフするようにしても良く、本実施例の場合図２０に示すように受光部２３を取付具３のケース３ｄの底面に設け、被取付具４の貫通孔４ａの下面開口より露出させて照明器具下方からの光ワイヤレス信号を広範囲から受光できるようにしている。
　【００４２】
（実施例１０）
　本実施例は、図２１に示すように埋め込み型引掛シーリングローゼット２に設けられた取付金具２５に対応する引掛金具２４を中間アダプタ型の取付具３に設けたもので、取付具３の引掛シーリングプラグ３ａを引掛シーリングローゼット２の円弧孔２ａに挿入して回転取付けする時に、引掛シーリングローゼット２の取付金具２５の上向きコ字型部２５ａに、引掛金具２４先端の係止部２４ａが図２２に示すように係止するようになっている。
　【００４３】
　従って本実施例では器具本体５の重量が重いものでも十分に支えることができ、また取付具３の引掛シーリングプラグ３ａに加わる器具本体５の荷重が少なくても済むという利点がある。尚露出型引掛シーリングローゼット２に取付金具２５を設けて本実施例の取付具３を使用しても、前記の利点が得られる。
　【００４４】
（実施例１１）
　前記実施例１０では埋め込み型引掛シーリングローゼット２に設けられた取付金具２５に対応する引掛金具２４を中間アダプタ型の取付具３に設けているが、本実施例では図２３に示すように中央に設けた凹部２４ａに取付具３の下部を嵌め込み、この凹部２４ａの底部と取付具３の下面との間にスプリング２６を介在させて引掛金具２４を下方に弾性付勢するように引掛金具２４を取付具３にビス２７で固定している。
　【００４５】
　従って取付具３に対して引掛金具２４が上下し、取付具３を引掛シーリングロゼット２に回転取付けする際に、引掛金具２４を手で押し上げながら、取付具３の回転と同時に引掛金具２４も回転するために回転取付けが完了すれば、引掛金具２４の両端に設けているコ宇型部２４ｂ内に引掛シーリングローゼット２に設けられた取付金具２５の上向きコ字型２５ａが入って、その外側片２５ｃが丁度コ字型部２４ｂの上片２４ｃに設けた角孔２４ｄに対向するように位置することになり、この状態で手を引掛金具２４から離せば、引掛金具２４はスプリング２６の弾発で下方に押し動かされて角孔２４ｄに前記取付金具２５の外側片２５ｃを係入し、図２４に示すように引掛金具２４が取付金具２５に係止されることになる。
　【００４６】
　以上のように本実施例も実施例１０と同様な利点が得られる。尚引掛金具２４のコ字型部２４ｂの両側側面の角窓２８は取付具３の係止部３ｃを露出させるためのものである。
（実施例１２）
　前記各実施例は取付具３のケース３ｄの両側面に係止部３ｃを設け、被取付具４にこの係止部３ｃに対応する被係止部４ｄを設けたものであるため、取付具３の両端部の係止部３ｃが存在しない箇所での器具本体５と取付具３との間に隙間が発生し照明器具の完全密閉性が達成できないが、本実施例では図２５に示すようにケース３ｄの両側面の係止部３ｃの両端をケース３ｄの両端面に延長するとともに、これに対応して被取付具４の被係止部４ｄも馬蹄形に形成して、取付具３のケース３ｄの両端面側に延長された係止部３ｃにも係止できるようにし、両者の係合部位が全周に亘るようにしている。
　【００４７】
　従って取付具３と被取付具４の凹凸嵌合部位を密閉性にすることができ、結果照明器具の防虫性が向上する。尚図２６は本実施例の器具本体５側の被取付具４を天井側の取付具３に取り付ける状態を示すものであるが、本実施例における取付け手順は実施例１と同様であるので、取付け手順の説明は省略する。
　【００４８】
（実施例１３）
　前記各実施例では取付具３を嵌合する被取付具４の被挿入部を貫通孔４ａにより形成していたが、本実施例では図２７に示すように凹部形状の有底の穴４ａ’で形成してこの穴４ａ’の底に栓刃状の受電部４ｂを立設し、一方取付具３側にはケース３ｄ内に受け刃状の給電部３ｂを設けるとともに給電部３ｂの下方のケース３ｄ下面に受電部４ｂを差し込む差込み口２９を開口し、前記穴４ａ’に取付具３を嵌合した時に受電部４ｂが差込み口２９を介して取付具３の給電部３ｂに挿入接続するようになっている。
　【００４９】
（実施例１４）
　前記各実施例の取付具３は天井１に設けられた引掛シーリングローゼット２に引掛シーリングプラグ３ａを回転取付けして天井１に配置する中間アダプタを構成するものであるが、本実施例は図２８に示すように取付具３のケース３ｄの上部両端に形成した取付部３１の挿通孔３ａに挿通した木ねじ３０で直接天井１に固定するもので、屋内配線をケース３ｄ内で直接接続する点と、天井１に固定するための構成以外は基本的には実施例１に準ずるもので、器具本体５の取付具３への取付け構造は実施例１と同様に行われる。
　【００５０】
　尚実施例１０、１１のような中間アダプタとしての構成以外であれば、本実施例の構成に前記各実施例の構成を適宜採用しても勿論よい。
（実施例１５）
　前記各実施例では取付具３と、被取付具４との係止部位が直線状であったため、器具本体５を取付けた後器具本体５側の被取付具４の回転は規制されるため、ちょっとした衝撃でも取付具３へ伝達され、例えば中間アダプタ型の場合には引掛シーリングロゼット２にも伝達され、これら取付具３や引掛シーリングロゼット２の破壊を招く恐れがある。
　【００５１】
　そこで本実施例では、図２９に示すように取付具３を挿入して嵌合する被挿入部たる貫通孔４ａの断面形状を円形にし、その内周面に環状溝からなる係止部４４を設けている。（本実施例では高さの違う引掛シーリングローゼット２に対応するために上下２段に設けている）。一方取付具３は図３０に示すように外形を前記貫通孔４ａの断面に対応するように円柱状に形成され、その両側面より係止部４４に係止する被係止部４５を横方向に突出している。この被係止部４５は図３１に示すように取付具３のケース３ｄ内に出没自在に設けられ、常時は内部に設けたスプリング４６で突出方向に弾性付勢されている。また被係止部４５の下面には操作部４７の上端が固定されている。操作部４７は取付具３の下面より突出しており、指でケース３ｄの中央部側に押されると、スプリング４６の弾性付勢に抗して被係止部４５をケース３ｄ内に没入させることができるようになっている。
　【００５２】
　また取付具３は上述した中間アダプタ型のものであって、上面には引掛シーリングプラグ３ａを突設し、この引掛シーリングプラグ３ａに接続される給電部は引掛シーリングプラグ３ａに一端が接続され、ケース３ｄの下面の中央より導出した電線４９の他端に設けられたプラグ４８で構成され、このプラグ４８に対応する被取付具４の受電部は貫通孔４ａの下面開口部の近辺に設けたコンセント５０で構成される。
　【００５３】
　而して本実施例では天井１に固定された引掛シーリングローゼット２に回転取付けされた取付具３に器具本体５を取付ける場合には、器具本体５側の被取付具４の貫通孔４ａの上面開口から取付具３の下部を嵌合するのであるが、本実施例ではこの嵌合時に取付具３側の被係止部４５がスプリング４６の弾性付勢に抗して取付具３内に没入し、係止部４４の位置に至ったときに被係止部４５が元に戻って係止部４４に係止されて取付具３に被取付具４が固定され、器具本体５の取付けが終了する。この取付け後、貫通孔４ａの下面開口より導出されたプラグ４８を被取付具４のコンセント５０に接続すれば電気的接続も終了する。
　【００５４】
　ここで器具本体５側に衝撃等で水平方向に回転させる力が加わると被取付具４の係止部４４が環状であるため取付具３の被係止部４５が係止部４４内を摺動し、器具本体５は規制されることなく回転する。従って衝撃力が取付具３、引掛シーリングローゼット２に伝達されことがなく、それらが破壊されるのを防ぐことができる。
　【００５５】
　また器具本体５を回転して器具本体５の位置を任意に設定することもできるから、例えばプルスイッチの引き紐の垂れ下がり位置を選定することも可能である。尚器具本体５を取り外す場合には、プラグ４８をコンセント５０から抜き、その後貫通孔４ａの下面加工から指を入れて取付具３の下面に露出した操作部４７をケース３ｄの中心側へ押し、被係止部４５をケース３ｄ内に没入させて止状態を解除し、この状態で器具本体５を下方に下げれば良い。
　【００５６】
　【発明の効果】
　請求項１記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され
取付具への被取付具の取付けと同時に
接続が取付具への被取付具の取付けと同時に行えること
取付具への被取付具の取付けと同時に
接続が取付具への被取付具の取付けと同時に行えること
　【００５７】
　請求項４記載の発明は、天井に取り付けられた引掛シーリングローゼットに取り付けられる引掛シーリングプラグを上面に設け該引掛シーリングプラグを上記引掛シーリングローゼットに引掛接続する中間アダプタにより構成するので、既設の引掛シーリングローゼットに対して対応することができ、中間アダプタたる取付具を予め引掛シーリングローゼットに取り付けておけば、器具本体の取付け、取外しは上下方向の操作で簡単に行えるという効果がある。
　【００５８】
　請求項５記載の発明は、上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記操作部の位置と上記ソケットの位置と上記ランプホルダーとの位置とを略同一直線上に設定するので、器具本体の取外し時に、ランプホルダーと、ソケットを掴んで操作することとなり、ランプを掴むことが無いためランプを破損することが無く安全であるという効果がある。
　【００５９】
　請求項６記載の発明は、上記器具本体の下面に露出され、上記各被係止部に対応する上記操作部と、上記器具本体の下面側に装着される環状ランプのソケットと、上記器具本体の下面側に取着され上記環状ランプを保持するランプホルダーとを備え、上記ソケットの位置と上記ランプホルダーとの位置とを略同一直線上に設定するとともに、上記操作部の位置を上記直線と略直交する直線上に設定するので、器具本体を取り外す際にランプを掴む形となり、結果器具本体を強く持てない状態となって器具本体が回転しにくくなり、結果引掛シーリングローゼットに曲げモーメントが働きにくくなり安全であるという効果がある。
　【００６０】
　請求項７記載の発明は、上記操作部の並び方向に対して略直交する方向で上記器具本体の下面中央部に把手部を設けるので、取付具の取付け施工が片手で行うことができ、作業性が一層向上するという効果がある。
　【００６１】
　請求項８記載の発明は、上記被取付具の被挿入部を、上記器具本体を上下に貫通する貫通孔で形成するので、貫通孔の下面開口、つまり照明器具の下方から取付具の下面が視認でき、そのため被取付具への嵌合等の位置決めや、嵌合状態の確認ができるという効果がある。請求項９記載の発明は、上記貫通孔に嵌合した上記取付具の下端を上記貫通孔の下面開口から突出させるので、取付具を被取付具の貫通孔に嵌合させる際のガイドとして取付具の長い側面が役立ち、また器具本体を取り外す際に、貫通孔の下方に突出した取付具の下部を持って操作すれば、取付具の引掛シーリングローゼットからの取外し操作と、器具本体の取外しとが一度に行えるという効果がある。
　【００６２】
　請求項１０記載の発明は、上記被取付具の被挿入部を、凹部状に形成するので、被取付具を照明器具の下面に露出させる場合であっても、取付具と被取付具との接続部分が照明器具の下面に露出することが無く、外観を向上することができるという効果がある。
請求項１１記載の発明は、上記中間アダプタの側面に上記係止部を設けてあるので、簡単な構造で確実に係止する照明器具が実現できる。請求項１２記載の発明は、上記被取付具を器具本体に一体に形成するので、照明器具の取り付けに必要な部品点数を削減することができ、更に簡単に天井への取付けを行えるという効果がある。
　【００６３】
　
請求項１３記載の発明は、器具本体と、天井に配備される取付具と、上記器具本体側に配設され、天井方向への移動で上記取付具を挿入する被挿入部を有する被取付具と、上記取付具に配設された給電部と、上記被挿入部内若しくは上記被挿入部外に配設され上記給電部に接続される受電部と、上記被取付具の上記被挿入部の内周面の略半周に対応するように上記被挿入部の内周面両側から弾性付勢されて突出する被係止部と、上記被挿入部に嵌合する上記取付具の外周面に設けられ上記被係止部を係止する上記係止部と、上記被取付具に配設され、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被挿入部における取付具と被取付具との嵌合部位の密閉度が高くなり、照明器具の防虫対策が確実となるという効果がある。請求項１４記載の発明は、器具本体と、天井に配備され外形が略円柱状の取付具と、上記器具本体側に配設され、断面形状が略円形で天井方向への移動で上記取付具を挿入する被挿入部を有する被取付具と、上記取付具に配設された給電部と、上記被挿入部内若しくは上記被挿入部外に配設され上記給電部に接続される受電部と、上記取付具に略円周状に形成した係止部と、上記被取付具に配設され、弾性付勢されて突出し上記係止部に係止される被係止部と、弾性付勢に抗して上記被係止部を後退させ、上記係止部との係止を解除する操作部とを備えてあるので、器具本体側の被取付具を天井方向に押し上げて被取付具の被挿入部に取付具を挿入させるだけで、被取付具から突出する被係止部を取付具の係止部に係止させて取付具への被取付具の取付けが行え、結果器具本体側に配備された被取付部と天井に配備された取付部との接続により照明器具を天井に直付けして照明器具に天井との一体感がある良好な外観を付与すると共に照明器具の天井への取付けが簡単にでき、しかも被取付具と取付具の嵌合係止後において器具本体が回転したりして被取付具が回転しても、取付具への回転による衝撃が加わらず、安全であり、しかも被取付具の取付具への嵌合係止位置が回転自在に設定できる
【図面の簡単な説明】
　【図１】
　本発明の実施例１の一部省略せる分解斜視図である。
　【図２】
　本発明の実施例１の一部破断する分解図である。
　【図３】
　本発明の実施例１の要部の拡大断面図である。
　【図４】
　本発明の実施例１の要部の拡大断面図である。
　【図５】
　本発明の実施例１の照明器具の取付け説明図である。
　【図６】
　本発明の実施例１の照明器具の取付け説明図である。
　【図７】
　本発明の実施例１の別の例の分解斜視図である。
　【図８】
　図７で示す本発明の実施例１の照明器具取外し説明図である。
　【図９】
　本発明の実施例２の分解斜視図である。
　【図１０】
　本発明の実施例２の照明器具取外し説明図である。
　【図１１】
　本発明の実施例３に用いる把手部の斜視図である。
　【図１２】
　本発明の実施例３の分解斜視図である。
　【図１３】
　本発明の実施例３の照明器具取付け説明図である。
　【図１４】
　本発明の実施例４の分解斜視図である。
　【図１５】
　本発明の実施例４の斜視図である。
　【図１６】
　本発明の実施例５の説明図である。
　【図１７】
　本発明の実施例６の説明図である。
　【図１８】
　本発明の実施例７の取付具の斜視図である。
　【図１９】
　本発明の実施例８の取付具の一部破断せる側面図である。
　【図２０】
　本発明の実施例９の取付具の斜視図である。
　【図２１】
　本発明の実施例１０の取付具と、引掛シーリングローゼットとの関係を示す分解斜視図である。
　【図２２】
　本発明の実施例１０の取付具と、引掛シーリングローゼットとの関係を示す側面図である。
　【図２３】
　本発明の実施例１１の取付具と、引掛シーリングローゼットとの関係を示す分解斜視図である。
　【図２４】
　本発明の実施例１１の取付具と、引掛シーリングローゼットとの関係を示す側断面図である。
　【図２５】
　本発明の実施例１２の一部省略せる分解斜視図である。
　【図２６】
　本発明の実施例１２の分解斜視図である。
　【図２７】
　本発明の実施例１３の被取付具と取付具の一部破断せる分解断面図である。
　【図２８】
　本発明の実施例１４の一部省略せる斜視図である。
　【図２９】
　本発明の実施例１５の被取付具の一部省略せる斜視図である。
　【図３０】
　本発明の実施例１５の取付具の斜視図である。
　【図３１】
　本発明の実施例１５の使用説明図である。
　【符号の説明】
３　　　取付具
３ａ　　引掛シーリングプラグ
３ｂ　　給電部
３ｃ　　係止部
４　　　被取付具
４ａ　　貫通孔
４ｂ　　受電部
４ｄ　　被係止部
４ｅ　　操作部
５　　　器具本体